(57)【要約】【課題】  遊技領域に故意に侵入させる異物によってパチンコ機を操作する不正行為等を可及的に防止するパチンコ機における監視装置を提供すること。【解決手段】  遊技盤１８が取付けられる内枠３の前面に装飾枠２０を開閉自在に設け、その装飾枠２０の裏面に設けられた透明板保持枠２１に、２枚の透明板２３ａ，２３ｂを内側と外側に所定間隔を置いて平行に装着してなるパチンコ機において、ゴト磁石ｍが透明板２３ｂの外部から不正使用確認具３０の近傍で使用された場合に離脱片３５が支持部材３１から外れて落下し、その落下した支持部材３１がフォトセンサ２５で検知されてランプ表示器１１を点灯作動させ、その異常事態を外部に報知するようにした。【選択図】  図５
2006212314.tif 000002
【特許請求の範囲】
【請求項１】
遊技盤が取付けられる内枠の前面に装飾枠を開閉自在に設け、その装飾枠の裏面に設けられた透明板保持枠に、２枚の透明板を内側と外側に所定間隔を置いて平行に装着してなるパチンコ機において、
前記２枚の透明板の間に形成される空隙部に異物の侵入を検知する検知手段と、その検知手段によって異物の検知がされたことを外部に報知する報知手段とを設けたことを特徴とするパチンコ機における監視装置。
【請求項２】
遊技盤が取付けられる内枠の前面に装飾枠を開閉自在に設け、その装飾枠に第１の透明板を一体に形成すると共に当該装飾枠の裏面に設けられた透明板保持枠に第２の透明板を装着し、それら第１及び第２の透明板を所定間隔を置いて平行に配置してなるパチンコ機において、
前記第１の透明板及び第２の透明板の間に形成される空隙部に異物の侵入を検知する検知手段と、その検知手段によって異物の検知がされたことを外部に報知する報知手段とを設けたことを特徴とするパチンコ機における監視装置。
【請求項３】
前記透明板保持枠は、前記透明板を挿入するための溝が夫々形成された左側枠、右側枠及び底枠とによって構成され、その底枠の近傍に前記検知手段を配設したことを特徴とする請求項１又は２に記載のパチンコ機における監視装置。
【請求項４】
前記検知手段が、前記底枠の一側端にフォトセンサの発光部を配置し、その他側端に該フォトセンサの受光部を配置して構成されていることを特徴とする請求項３に記載のパチンコ機における監視装置。
【請求項５】
前記透明板保持枠は、前記透明板を挿入するための溝が夫々形成された左側枠、右側枠及び底枠とからなり、その左側枠と右側枠に前記検知手段が配設されていることを特徴とする請求項１又は２に記載のパチンコ機における監視装置。
【請求項６】
前記検知手段が、前記左側枠又は右側枠の何れか一方にフォトセンサの発光部を配置し、その他方に該フォトセンサの受光部を配置して構成されていることを特徴とする請求項５に記載のパチンコ機における監視装置。
【請求項７】
前記検知手段によって異物が検知された場合、その検知信号をパチンコ機の制御部へ出力させ、その検知信号の入力により該パチンコ機に付設されるランプ表示器又は図柄表示装置の表示態様を変化させることによって異物検知を外部に報知するように構成したことを特徴とする請求項１〜６の何れかに記載のパチンコ機における監視装置。
【請求項８】
前記検知手段によって異物が検知された場合、その検知信号をパチンコ機とは別途に設けられる呼出表示器へ出力させ、その検知信号の入力により該呼出表示器の表示態様を変化させることによって異物検知を外部に報知するように構成したことを特徴とする請求項１〜６の何れかに記載のパチンコ機における監視装置。
【請求項９】
内側に配置された前記透明板の前面に接着されて固定される支持部材と、その支持部材の前面に装着される磁石又は磁着片を備えた離脱片とからなる不正使用確認具を設け、外側に配置された前記透明板の外部から磁石が該不正使用確認具の近傍で故意に使用されたときに、離脱片が支持部材から外れて落下するように構成したことを特徴とする請求項１〜８の何れかに記載のパチンコ機における監視装置。
【発明の詳細な説明】
【技術分野】
【０００１】
本発明は、遊技領域に故意に侵入させた異物によってパチンコ機を操作する不正行為等を防止するための監視装置に関するものである。
【背景技術】
【０００２】
従来のパチンコ機においては、正面の装飾枠に装着された２枚の透明板（ガラス板）の間に生ずる隙間にゴミや遊技球等の異物が侵入し、遊技領域の見通しを妨げてしまうということがあった。
【０００３】
また、パチンコホールにおいて心得違いの遊技者が、ピアノ線やセル棒等の異物をパチンコ機に生じる隙間の至るところから侵入させてパチンコ機を操作する不正行為が頻繁に行なわれており、これを未然に防止する対策が日頃から求められている。その他、磁石を透明板の前面に近づけて遊技球を磁力により吸引させ、その吸引された遊技球を所望の入賞口に強制的に入賞させるといった不正行為も頻繁に行なわれている。
【０００４】
かかる磁石の不正使用に対する防止策については、特開平１１−１５１３６１号公報に開示されている。その公報に記載された技術内容は、弱い磁石を埋設した支持体を内側のガラス板の前面に接着固定し、磁着片を備えた離脱体を予め支持体に吸着させた状態としておき、遊技者が外側のガラス板の外から故意に磁石によって吸引された遊技球を所望の入賞口に強制的に入賞させようとしたときに、離脱体が磁石に吸引されることにより支持体から外れて支持体の前面に設けられた「不正」を表したシールが露呈するというものである。
【０００５】
上記公報に記載された技術は、不正に磁石を使用した場合に離脱体が支持体から外れて「不正」を表したシールが露呈するように構成されているところ、パチンコホールの店員がその表示に速やかに気付くことができず、結果的に磁石による不正が行なわれていたという事実を把握できる程度の効果しか奏し得ないものと言えよう。
【特許文献１】特開平１１−１５１３６１号公報
【特許文献２】特開２００２−８５７５８号公報
【発明の開示】
【発明が解決しようとする課題】
【０００６】
本発明の目的は、遊技領域に故意に侵入させる異物によってパチンコ機を操作する不正行為等を可及的に防止するパチンコ機における監視装置を提供することにある。
【課題を解決するための手段】
【０００７】
前記目的を達成するために請求項１に記載した発明は、遊技盤が取付けられる内枠の前面に装飾枠を開閉自在に設け、その装飾枠の裏面に設けられた透明板保持枠に、２枚の透明板を内側と外側に所定間隔を置いて平行に装着してなるパチンコ機において、前記２枚の透明板の間に形成される空隙部に異物の侵入を検知する検知手段と、その検知手段によって異物の検知がされたことを外部に報知する報知手段とを設けたことを特徴とする。
【０００８】
同様の目的を達成するために請求項２に記載した発明は、遊技盤が取付けられる内枠の前面に装飾枠を開閉自在に設け、その装飾枠に第１の透明板を一体に形成すると共に当該装飾枠の裏面に設けられた透明板保持枠に第２の透明板を装着し、それら第１及び第２の透明板を所定間隔を置いて平行に配置してなるパチンコ機において、前記第１の透明板及び第２の透明板の間に形成される空隙部に異物の侵入を検知する検知手段と、その検知手段によって異物の検知がされたことを外部に報知する報知手段とを設けたことを特徴とする。
【０００９】
同様の目的を達成するために請求項３に記載した発明は、請求項１又は２に記載のパチンコ機における監視装置において、前記透明板保持枠は、前記透明板を挿入するための溝が夫々形成された左側枠、右側枠及び底枠とによって構成され、その底枠の近傍に前記検知手段を配設したことを特徴とするものである。
【００１０】
同様の目的を達成するために請求項４に記載した発明は、請求項３に記載のパチンコ機における監視装置において、前記検知手段が、前記底枠の一側端にフォトセンサの発光部を配置し、その他側端に該フォトセンサの受光部を配置して構成されていることを特徴とするものである。
【００１１】
同様の目的を達成するために請求項５に記載した発明は、請求項１又は２に記載のパチンコ機における監視装置において、前記透明板保持枠は、前記透明板を挿入するための溝が夫々形成された左側枠、右側枠及び底枠とからなり、その左側枠と右側枠に前記検知手段が配設されていることを特徴とするものである。
【００１２】
同様の目的を達成するために請求項６に記載した発明は、請求項５に記載のパチンコ機における監視装置において、前記検知手段が、前記左側枠又は右側枠の何れか一方にフォトセンサの発光部を配置し、その他方に該フォトセンサの受光部を配置して構成されていることを特徴とするものである。
【００１３】
同様の目的を達成するために請求項７に記載した発明は、請求項１〜６の何れかに記載のパチンコ機における監視装置において、前記検知手段によって異物が検知された場合、その検知信号をパチンコ機の制御部へ出力させ、その検知信号の入力により該パチンコ機に付設されるランプ表示器又は図柄表示装置の表示態様を変化させることによって異物検知を外部に報知するように構成したことを特徴とするものである。
【００１４】
同様の目的を達成するために請求項８に記載した発明は、請求項１〜６の何れかに記載のパチンコ機における監視装置において、前記検知手段によって異物が検知された場合、その検知信号をパチンコ機とは別途に設けられる呼出表示器へ出力させ、その検知信号の入力により該呼出表示器の表示態様を変化させることによって異物検知を外部に報知するように構成したことを特徴とするものである。
【００１５】
同様の目的を達成するために請求項９に記載した発明は、請求項１〜８の何れかに記載のパチンコ機における監視装置において、内側に配置された前記透明板の前面に接着されて固定される支持部材と、その支持部材の前面に装着される磁石又は磁着片を備えた離脱片とからなる不正使用確認具を設け、外側に配置された前記透明板の外部から磁石が該不正使用確認具の近傍で故意に使用されたときに、離脱片が支持部材から外れて落下するように構成したことを特徴とするものである。
【発明の効果】
【００１６】
（請求項１〜３，請求項５の発明）
このパチンコ機における監視装置は、透明板の空隙部にゴミ、遊技球、不正具等の異物が侵入したことを検知してランプの点灯や音声等で外部に報知するように設けられているので、パチンコホールの店員が迅速に対応することができて不正行為等を可及的に防止することが可能である。
【００１７】
（請求項４、請求項６の発明）
このパチンコ機における監視装置は、透明板の空隙部にゴミ、遊技球、不正具等の異物が侵入したことをフォトセンサを用いた検知手段により検知してランプの点灯や音声等で外部に報知するように設けられているので、パチンコホールの店員が迅速に対応することができて不正行為等を可及的に防止することが可能である。
【００１８】
（請求項７、請求項８の発明）
このパチンコ機における監視装置は、異物が検知されたことをランプ表示器、図柄表示装置、呼出表示器の何れかにより外部に報知するように設けられているので、パチンコホールの店員は異常状態を認識することが容易となり、これに迅速に対応することができる。
【００１９】
（請求項９の発明）
このパチンコ機における監視装置は、透明板の外部から磁石を不正使用確認具の近傍で使用されたときに離脱片が支持部材から外れて落下し、その外れた離脱片が検知手段により検知されて外部に異常状態を報知されるように設けられているので、従来装置に比べて不正行為等を防止する効果をより一層高めることが可能である。
【発明を実施するための最良の形態】
【００２０】
以下に、本発明の最良の形態例を図面に基づいて説明する。図１は本発明の監視装置を適用したパチンコ機の概要正面図、図２は装飾枠を開放した状態（遊技盤なし）を示すパチンコ機の斜視図、図３は図１のＡ−Ａ線断面図、図４〜図６は磁石を用いる不正行為を説明する図面であって、図４はゴト磁石を不正使用確認具に近づける状態を示す説明図、図５はゴト磁石によって遊技球と離脱片が透明板に側へ引き寄せられた状態を示す説明図、図６はゴト磁石を透明板から離すことにより離脱片が落下した状態を示す説明図、図７はパチンコ機の電子制御回路の一部を示すブロック図、図８は電子制御回路の他の実施態様の一部を示すブロック図である。
【００２１】
本発明の監視装置を適用したパチンコ機ｐを図１に示す。このパチンコ機ｐの外枠１の開口部２には、装飾枠２０を図示しないヒンジにより開閉自在に支持する金属製の内枠３が一対のヒンジ金具５により開閉可能に取付けられている。６は上皿７が一体に形成された上カバー、８はパチンコ球発射ハンドル９と下皿１０が設けられた下カバー、１１は装飾枠２０の上部に配置された報知手段としてのランプ表示器である。
【００２２】
上記内枠３の背面には、図１に示す図柄表示装置１５や入賞口１６、誘導釘１７等が設けられた遊技盤１８が取り付けられる。
【００２３】
上記装飾枠２０の裏面側には、２枚のガラス板等の透明板２３ａ，２３ｂを上から挿入するための溝２２が内側と外側に所定間隔を置いて平行に夫々形成された左側枠２１ａ、右側枠２１ｂ及び底枠２１ｃとからなる四角形状の金属製透明板保持枠２１を設けている。図１、図３に示すように、透明板２３ａ，２３ｂの間における底枠２１ｃの一側端には、検知手段としてのフォトセンサ２５の発光部２５ａを配置し、その他側端に該フォトセンサの受光部２５ｂを配置している。
【００２４】
この実施例のパチンコ機では、透明板保持枠２１に２枚の透明板２３ａ，２３ｂを装着させる構成としているが、これを、装飾枠に第１の透明板を一体に形成すると共に透明板保持枠に第２の透明板を装着して第１及び第２の透明板を所定間隔を置いて平行に配置する構成とすることもできる。
【００２５】
３０は２枚の透明板２３ａ，２３ｂの間に設置される不正使用確認具である。図３に示すように、この不正使用確認具３０は、内側の透明板２３ａの前面に接着固定される支持部材３１と、支持部材３１の前面に装着される離脱片３５とからなる。その支持部材３１には、中心部に形成された円形状の窪み３２の底に磁力の弱い磁石３３が埋設されている。また、その離脱片３５は、支持部材３１の窪み３２に遊嵌させることができるように円板形状に設けられており、その裏面側に磁力の弱い磁石３６が埋設されている。なお、支持部材３１については、入賞口１６の近傍に配置するのが効果的である。
【００２６】
図７にはパチンコ機の電子制御回路の一部を示す。図中、細い実線で囲まれた箇所はパチンコ機のハード及びソフトウェアーの制御を総合的に司る主制御装置４０を示し、ＣＰＵは中央処理装置、４１は中央処理装置ＣＰＵが実行する大当たり抽選の乱数発生手段・図柄変動制御・大当たり処理制御等の各種制御プログラム等を記憶させたメモリー、４２は中央処理装置ＣＰＵが前記制御プログラムを実行するときにメモリー４１から読み出された内容等を一時的に記憶させるためのメモリー、４３，４４は中央処理装置ＣＰＵに接続されたインターフェースである。そのインターフェース４３には検知手段（フォトセンサ２５）の回路端子が接続され、インターフェース４４にはランプ表示器１１又は図柄表示装置１５の回路端子が接続される。
【００２７】
図７に示す電子制御回路のブロック図では報知手段としてのランプ表示器１１がパチンコ機ｐの中に組み込まれた構成としているが、ランプ表示器１１に相当する呼出表示器５０をパチンコ機ｐとは別途の島台等の場所に設けるという構成とすることもできる（図８）。その呼出表示器５０については、マイクロコンピュータ５２、インターフェース５３，５４、メモリー５５からなる制御部５１と、ランプによる点滅動作等を行なわせる表示装置５６とから構成されている。
【００２８】
以上により、ゴト磁石ｍが透明板２３ｂの外部から不正使用確認具３０の近傍で使用された場合に離脱片３５が支持部材３１から外れて落下し、その落下した支持部材３１がフォトセンサ２５で検知されてランプ表示器１１を点灯作動させ、その異常事態を外部に報知する本発明のパチンコ機における監視装置が構成される。なお、ゴト磁石とは、不正の目的で使用される磁石のことを言う当業界の用語である。
【００２９】
つぎに、本発明のパチンコ機における監視装置の作動について説明する。
（１）遊技領域に打ち込まれた遊技球ｘが入賞口１６の近くに流下したときに、不正を行なう遊技者がゴト磁石ｍを不正使用確認具３０に近づけたとする（図４）。
（２）遊技球ｘと離脱片３５が、ゴト磁石ｍの強い磁力によって透明板２３ｂ側へ引き寄せられる（図５）。
（３）遊技者がゴト磁石ｍにより引き寄せた遊技球ｘを入賞口１６に入賞させてから、ゴト磁石ｍを透明板２３ｂから離せば、離脱片３５は底枠２１ｃ上に落下する（図６）。
（４）その落下した離脱片３５がフォトセンサ２５により検知されると、その検知信号が主制御装置４０に入力されて中央処理装置ＣＰＵからの出力信号によりランプ表示器１１が点灯作動する（図７）。これにより、パチンコホールの店員はかかる事態に迅速に対応することができ、さらなる不正行為を未然に防止することが可能である。
【００３０】
この実施例においては、フォトセンサ２５により不正使用確認具３０の離脱片３５を検知して外部に報知する場合について述べているが、パチンコ機に生じる隙間からピアノ線やセル棒等の異物が故意に侵入させられた場合、その異物をフォトセンサ２５により検知してこれを外部に報知することによりパチンコ機を操作する不正行為を可及的に防止することもできる。
【００３１】
また、上記実施例においては、報知手段をランプ表示器１１による点灯動作を行なわせる構成としているが、これをスピーカや音声発生用ＩＣによって音声や警告音を発生させる構成とすることもできる。
【００３２】
以上に述べた通り、このパチンコ機における監視装置は、透明板の空隙部に設けた不正使用確認具の離脱片がゴト磁石の使用により落下したことをフォトセンサにより検知してランプを点灯作動させることにより外部に報知するように設けているので、パチンコホールの店員がかかる事態に迅速に対応することができ、不正行為等を可及的に防止することが可能である。
【図面の簡単な説明】
【００３３】
【図１】本発明の監視装置を適用したパチンコ機の概要正面図
【図２】装飾枠を開放した状態（遊技盤なし）を示すパチンコ機の斜視図
【図３】図１のＡ−Ａ線断面図
【図４】ゴト磁石を不正使用確認具に近づける状態を示す説明図
【図５】ゴト磁石によって遊技球と離脱片が透明板に側へ引き寄せられた状態を示す説明図
【図６】ゴト磁石を透明板から離すことにより離脱片が落下した状態を示す説明図
【図７】パチンコ機の電子制御回路の一部を示すブロック図
【図８】電子制御回路の他の実施態様の一部を示すブロック図
【符号の説明】
【００３４】
ｐ・・・パチンコ機
３・・・内枠
１１・・・ランプ表示器（報知手段）
１８・・・遊技盤
２１・・・透明板保持枠
２２・・・溝
２３ａ・・・内側の透明板
２３ｂ・・・外側の透明板
２５・・・フォトセンサ（検知手段）
２５ａ・・・発光部  ２５ｂ・・・受光部
３０・・・不正使用確認具
３１・・・支持部材  ３５・・・離脱片
３６・・・磁石
ｍ・・・ゴト磁石（磁石）
【図１】
2006212314.tif 000003
【図２】
2006212314.tif 000004
【図３】
2006212314.tif 000005
【図４】
2006212314.tif 000006
【図５】
2006212314.tif 000007
【図６】
2006212314.tif 000008
【図７】
2006212314.tif 000009
【図８】
2006212314.tif 000010